(57)【要約】【課題】  窓からの熱の出入りを減らし、冷暖房負荷を抑えることのできる換気システムの提供。【解決手段】  窓１と熱交換器２とを備え、窓１は、外側仕切体３と内側仕切体４を有し、外側仕切体３の内側面と内側仕切体４の外側面に沿うように空気が流れることで内側仕切体４から逃げる熱を回収するものであり、熱交換器２は、内気の熱を回収するものであり、外気を、窓１を通してから熱交換器２に通すか又は熱交換器２に通してから窓１に通すことで、内側仕切体４から逃げる熱と内気の熱を回収して室内に取り入れ、熱交換器２で熱が奪われた内気を室外に排出する。【選択図】      図１
2020139729.tif 000002
【特許請求の範囲】
【請求項１】
窓と熱交換器とを備え、窓は、外側仕切体と内側仕切体を有し、外側仕切体の内側面と内側仕切体の外側面に沿うように空気が流れることで内側仕切体から逃げる熱を回収するものであり、熱交換器は、内気の熱を回収するものであり、外気を、窓を通してから熱交換器に通すか又は熱交換器に通してから窓に通すことで、内側仕切体から逃げる熱と内気の熱を回収して室内に取り入れ、熱交換器で熱が奪われた内気を室外に排出することを特徴とする換気システム。
【請求項２】
窓と熱交換器とを備え、窓は、外側仕切体と内側仕切体を有し、内側仕切体の外側面と外側仕切体の内側面に沿うように空気が流れることで外側仕切体から入ってくる熱を回収するものであり、熱交換器は、外気の熱を回収するものであり、内気を、熱交換器に通してから窓に通すか又は窓に通してから熱交換器に通すことで、外側仕切体から入ってくる熱と外気の熱を回収して室外に排出し、熱交換器で熱が奪われた外気を室内に取り入れることを特徴とする換気システム。
【発明の詳細な説明】
【技術分野】
【０００１】
本発明は、冷暖房負荷を抑えることのできる換気システムに関する。
【背景技術】
【０００２】
建物の室内環境は、空調設備で制御していたが、窓からの熱の出入りが多く電気代がかかるため、経済的に優れたものが求められていた。
【発明の概要】
【発明が解決しようとする課題】
【０００３】
本発明は以上に述べた実情に鑑み、窓からの熱の出入りを減らし、冷暖房負荷を抑えることのできる換気システムの提供を目的とする。
【課題を解決するための手段】
【０００４】
上記の課題を達成するために請求項１記載の発明による換気システムは、窓と熱交換器とを備え、窓は、外側仕切体と内側仕切体を有し、外側仕切体の内側面と内側仕切体の外側面に沿うように空気が流れることで内側仕切体から逃げる熱を回収するものであり、熱交換器は、内気の熱を回収するものであり、外気を、窓を通してから熱交換器に通すか又は熱交換器に通してから窓に通すことで、内側仕切体から逃げる熱と内気の熱を回収して室内に取り入れ、熱交換器で熱が奪われた内気を室外に排出することを特徴とする。
【０００５】
請求項２記載の発明による換気システムは、窓と熱交換器とを備え、窓は、外側仕切体と内側仕切体を有し、内側仕切体の外側面と外側仕切体の内側面に沿うように空気が流れることで外側仕切体から入ってくる熱を回収するものであり、熱交換器は、外気の熱を回収するものであり、内気を、熱交換器に通してから窓に通すか又は窓に通してから熱交換器に通すことで、外側仕切体から入ってくる熱と外気の熱を回収して室外に排出し、熱交換器で熱が奪われた外気を室内に取り入れることを特徴とする。
【発明の効果】
【０００６】
請求項１記載の発明による換気システムは、窓と熱交換器とを備え、窓は、外側仕切体と内側仕切体を有し、外側仕切体の内側面と内側仕切体の外側面に沿うように空気が流れることで内側仕切体から逃げる熱を回収するものであり、熱交換器は、内気の熱を回収するものであり、外気を、窓を通してから熱交換器に通すか又は熱交換器に通してから窓に通すことで、内側仕切体から逃げる熱と内気の熱を回収して室内に取り入れ、熱交換器で熱が奪われた内気を室外に排出することで、窓から室内の熱が逃げるのを抑えられ、加えて熱交換器でも室内の熱を回収することで窓の働きを補完するので、暖房負荷を抑えることができる。
【０００７】
請求項２記載の発明による換気システムは、窓と熱交換器とを備え、窓は、外側仕切体と内側仕切体を有し、内側仕切体の外側面と外側仕切体の内側面に沿うように空気が流れることで外側仕切体から入ってくる熱を回収するものであり、熱交換器は、外気の熱を回収するものであり、内気を、熱交換器に通してから窓に通すか又は窓に通してから熱交換器に通すことで、外側仕切体から入ってくる熱と外気の熱を回収して室外に排出し、熱交換器で熱が奪われた外気を室内に取り入れることで、窓から室外の熱が入ってくるのを抑えられ、加えて熱交換器でも外気の熱を回収することで窓の働きを補完するので、冷房負荷を抑えることができる。
【図面の簡単な説明】
【０００８】
【図１】本発明の換気システムの第１実施形態を示す模式図である。
【図２】同換気システムの縦断面図である。
【図３】同換気システムの窓の上部を拡大して示す縦断面図である。
【図４】本発明の換気システムの第２実施形態を示す模式図である。
【図５】本発明の換気システムの第３実施形態を示す模式図である。
【図６】同換気システムの縦断面図である。
【図７】同換気システムの窓の上部を拡大して示す縦断面図である。
【図８】本発明の換気システムの第４実施形態を示す模式図である。
【図９】本発明の換気システムの参考例を示す模式図である。
【図１０】（ａ）は冷暖房負荷の計算に用いた部屋のモデルを示し、（ｂ）は窓のモデルを示す。
【図１１】冷暖房負荷の計算に用いた換気システムの換気経路のパターンを示す図である。
【図１２】単なる二重窓を設置した場合と比較した冷暖房負荷割合を示すグラフである。
【発明を実施するための形態】
【０００９】
以下、本発明の実施の形態を図面に基づいて説明する。以下に説明する実施形態のうち、第１実施形態（図１〜３）と第３実施形態（図５〜７）は請求項１記載の発明の実施形態に相当し、第２実施形態（図４）と第４実施形態（図８）は請求項２記載の発明の実施形態に相当する。
図１〜３は、本発明の換気システムの第１実施形態を示している。本実施形態は、オフィスビルの換気システムに適用したものであって、冬期における運転状態を示している。本換気システムは、図１に示すように一側の壁に設置された窓（カーテンウォール）１と、天井裏に設置した熱交換器２及び空調機５と、他側の壁に設置した給排気口６と、天井に設置した空気取入・吹出口７，７と、それらを天井裏で繋ぐダクト８ａ，８ｂ，８ｃ，８ｄとを備えている。
【００１０】
窓１は、図２，３に示すように、外側ガラス（外側仕切体）３を装着した外窓９と内側ガラス（内側仕切体）４を装着した内窓１０とを備える二重窓となっており、外窓９と内窓１０間の中間層１１に整流体としてのブラインド１２が上方から吊り下げて設置してある。
外窓９は、図３に示すように、上枠１３の外側ガラス３より室外側の底壁に通気口１５ａを形成し、中間の縦壁に通気口１５ｂ，１５ｂを形成し、外側ガラス３より室内側の底壁に通気口１５ｃを形成することで、上枠１３に室外空間からブラインド１２より室外側の中間層１１に連通する通気部１４が設けてある。同通気部１４は室外側の通気口１５ａが下向きに開口して設けてあり、室内側の通気口１５ｃは外側ガラス３に向けて斜め下向きに設けてある。
内窓１０は、上枠１６の室外側壁と上壁とに通気口２０ａ，２０ｂを形成することで、上枠１６にブラインド１２より室内側の中間層１１より天井裏の空間に連通する通気部１７が設けてあり、通気口２０ｂには熱交換器２に通じるダクト８ａが連結されている。
【００１１】
内窓１０の通気部１７と熱交換器２とを繋ぐダクト８ａには、図２に示すように、正逆回転自在なファン１８を備えており、冬期にはファン１８を回転させて空気を熱交換器２側に引っ張ることで、窓１を空気が室外側から室内側に向けて流れるようにする。外窓９の通気部１４より流入した冷たい外気は、通気部１４室内側の通気口１５ｃが内周側に向けて開口して設けてあることで、図２中の矢印に示すように、外側ガラス３の室内側面に沿うように下向きに流出する。その後、冷たい外気はコールドドラフトにより中間層１１の下まで流れてから折り返し、内側ガラス４から室内の熱が伝わることで暖められ、内側ガラス４の室外側面に沿って上昇し、この間に内側ガラス４から室外に逃げる熱を空気の流れによって回収する。また、窓１に日射を受ける場合は、このように中間層１１内を外気が外側ガラス３の内側面と内側ガラス４の外側面に沿うように流れる間に、日射熱を取得することができる。その後、暖められた外気は内窓１０上部の通気部１７を通り、ダクト８ａを通って熱交換器２へと送られる。０℃であった外気は、このように窓１の中間層１１を通る間に日射熱を取得するとともに内側ガラス４から室内の熱を回収することで、１２℃に暖められる。
【００１２】
熱交換器２では、上記のように窓１を通過することで暖められた外気と、空気取入・吹出口７より取り込んだ内気とを熱交換させることで、窓１を通過することで暖められた外気に内気の熱を回収させる。これにより、１２℃であった外気はさらに１８．５℃に暖められる。そうして暖められた外気は、空調機５により３０℃に暖められて空気取入・吹出口７より室内に流出する。外気を１８．５℃まで暖めてから空調機５に供給するので、空調機５の負荷を低減することができる。
熱が奪われた内気は、給排気口６より室外に放出される。
【００１３】
以上に述べたように本換気システムは、中間層１１内を外側ガラス３と内側ガラス４に沿うように迂回して外気が流れることで、日射熱を取得できるとともに、室内から室外に伝わる熱を空気の流れによって回収し、室内に戻すことで、室内から室外への熱の損失がほとんどなくなり、これにより空気が流入する方向とは逆方向である室内側から室外側への熱輸送が妨げられ、非常に高い断熱性が得られる。さらに、窓１を通過させることで熱を回収した外気を内気と熱交換させることで、内気の熱も回収して室内に戻すことができるので、窓１の機能を補完してより一層の暖房負荷の低減が図られる。
【００１４】
空調機５は、本換気システムと別に設けることもできる。すなわち、換気システムには空調機を有さず、熱交換器２から出た外気をそのまま室内に導入することもできる。
また、図１に示すように、外気を通すダクトに熱交換器２をショートカットするショートカットダクト１９を設けておき、窓１に強い日射を受けたときに窓１を通過した外気の温度が室内温度より高くなったときに、このショートカットダクト１９を通すことで熱交換器２を通さずに空調機５に通してから室内に導入してもよいし、熱交換器２も空調機５も通さずに直接室内に導入してもよい。例えば、窓１を通過した外気の温度が室内温度２０℃よりも高い２２℃であった場合には、熱交換器２をショートカットして空調機５に流し、空調機５で３０℃に調整して室内に導入する。また、窓１を通過した外気の温度が３０℃であった場合は、熱交換器２及び空調機５をショートカットして直接室内に導入する。
【００１５】
図４は、本発明の換気システムの第２実施形態を示している。本実施形態は、第１実施形態と同様に、オフィスビルの換気システムに適用したものであって、夏期における運転状態を示している。第２実施形態の換気システムは、第１実施形態と装置の構成は全く同じで、ファン１８を逆回転することで、空気の流れる向きを第１実施形態とは逆向きにしている。
【００１６】
熱交換器２は、給排気口６より導入した暖かい外気と、空気取入・吹出口７より導入した冷たい内気とを熱交換することで、外気の熱を回収する。これにより、３０℃であった外気は２６℃に冷やされ、その後、空調機５により２０℃に冷やされて空気取入・吹出口７より室内に流出する。
【００１７】
熱交換器２で外気の熱を回収した内気は、ダクト８ａを通じて窓１の中間層１１のブラインド１２の室内側に導入される。この空気は、室外よりも温度が低いので、内側ガラス４の室外側面に沿って下向きに流れ、その後、中間層１１の下部で折り返し、外側ガラス３等の熱が伝わることで外側ガラス３の室内側面に沿って上昇し、この間に外側ガラス３を通じて室外から室内に入ってくる熱を空気の流れによって回収する。その後、外窓９の通気部１４を通って空気が室外に放出される。空気が通気部１４を通過する際、上枠１３を伝って室内に入ってくる熱を空気の流れによって回収する。そして、空気が室外に放出されることで、外側ガラス３や上枠１３から回収した熱を室外に捨てる。このように室外から室内に伝わる熱を空気の流れによって回収し、室外に捨てることで、窓１を通じて室内に入ってこようとする熱を排出することができ、これにより空気が流出する方向とは逆方向である室外側から室内側への熱輸送が妨げられ、優れた断熱効果を発揮して、室内が涼しく保たれる。
【００１８】
このように本実施形態の換気システムは、中間層１１内を外側ガラス３と内側ガラス４に沿うように迂回して内気が流れることで、室外から室内に伝わる熱を空気の流れによって回収し、室外に捨てることで、窓１を通じて室内に入ってこようとする熱を排出することができ、これにより空気が流出する方向とは逆方向である室外側から室内側への熱輸送が妨げられ、非常に高い断熱性が得られる。さらに、熱交換器２により外気の熱を回収して室外に捨てることで、窓１の機能を補完してより一層の冷房負荷の低減が図られる。
【００１９】
図５〜７は、本発明の換気システムの第３実施形態を示している。本実施形態は、住宅の換気システムに適用したものであって、冬期における運転状態を示している。本換気システムは、図５に示すように一側の壁に設置された窓１と、天井裏に設置した熱交換器２と、一側の壁に設置した給排気口６，６と、天井に設置した空気取入・吹出口７と、それらを天井裏で繋ぐダクト８ａ，８ｂ，８ｃ，８ｄとを備えている。空調機５は、換気システムと別に設けてある。
【００２０】
窓１は、図６，７に示すように、外窓９と内窓１０とを備える二重窓となっており、外窓９と内窓１０間の中間層に整流体としてのブラインド１２が上方から吊り下げて設置してある。
図７に示すように、外窓９の上枠１３の室内側の額縁には、天井裏の空間からブラインド１２より室外側の中間層１１に連通する通気部１４が設けてあり、通気部１４は内周側に向けて開口して設けてある。通気部１４には、熱交換器２に通じるダクト８ｃが連結してある。
内窓１０は、上枠１６に室内外方向に連通する通気部１７が設けてある。
【００２１】
熱交換器２は、図６に示すように、給排気口６より導入した冷たい外気と、空気取入・吹出口７より取り込んだ内気とを熱交換し、内気の熱を回収する。これにより、０℃であった外気は１６℃に暖められる。そうして内気の熱を回収した外気は、先に述べたダクト８ｃと通気部１４を介して外窓９とブラインド１２の間の中間層１１に導かれる。
【００２２】
中間層１１に入った外気は、通気部１４が内周側に向けて開口して設けてあることで、図６中の矢印に示すように、外側ガラス３の室内側面に沿うように下向きに流出する。その後、冷たい外気はコールドドラフトにより中間層１１の下まで流れてから折り返し、内側ガラス４から室内の熱が伝わることで暖められ、内側ガラス４の室外側面に沿って上昇し、この間に内側ガラス４から室外に逃げる熱を空気の流れによって回収する。また、このように中間層１１内を外気が外側ガラス３の内側面と内側ガラス４の外側面に沿うように流れることで、日射熱を取得することができる。その後、暖められた外気は内窓１０上部の通気部１７を通り、室内に流出する。１６℃であった外気は、このように窓１の中間層１１を通る間に日射熱を取得するとともに内側ガラス４から室内の熱を回収することで、１８．５℃に暖められる。
【００２３】
このように本換気システムは、中間層１１内を外側ガラス３と内側ガラス４に沿うように迂回して外気が流れることで、日射熱を取得できるとともに、室内から室外に伝わる熱を空気の流れによって回収し、室内に戻すことで、室内から室外への熱の損失がほとんどなくなり、これにより空気が流入する方向とは逆方向である室内側から室外側への熱輸送が妨げられ、非常に高い断熱性が得られる。さらに、熱交換器２により外気を内気と熱交換させることで、内気の熱を回収してから窓１を通過させることで、内気の熱も回収して室内に戻すことができるため、窓１の機能を補完してより一層の暖房負荷の低減が図られる。
【００２４】
図８は、本発明の換気システムの第４実施形態を示している。本実施形態は、第３実施形態と同様に、住宅用の換気システムに適用したものであって、夏期における運転状態を示している。第４実施形態の換気システムは、第３実施形態と装置の構成は全く同じで、ファン１８を逆回転することで、空気の流れる向きを第３実施形態と逆向きにしている。
【００２５】
窓１には、内窓１０の通気部１７を通じてブラインド１２より室内側の中間層１１に内気が流入し、この空気は室外よりも温度が低いので、内側ガラス４の室外側面に沿って下向きに流れ、その後、中間層１１の下部で折り返し、外側ガラス３等の熱が伝わることで外側ガラス３の室内側面に沿って上昇し、この間に外側ガラス３を通じて室外から室内に入ってくる熱を空気の流れによって回収する。これにより、２５℃であった内気が２７℃に暖められる。
その後、窓１から熱を回収した内気は熱交換器２へと送られ、熱交換器２で外気と熱交換することで外気の熱を回収する。これにより、２７℃であった内気は２９℃に暖められ、給排気口６より室外に排出される。一方、熱が奪われた外気は、３０℃から２８℃に冷やされて空気取入・吹出口７より室内に流入する。
【００２６】
このように本実施形態の換気システムは、中間層１１内を外側ガラス３と内側ガラス４に沿うように迂回して内気が流れることで、室外から室内に伝わる熱を空気の流れによって回収し、室外に捨てることで、窓１を通じて室内に入ってこようとする熱を排出することができ、これにより空気が流出する方向とは逆方向である室外側から室内側への熱輸送が妨げられ、非常に高い断熱性が得られる。さらに、熱交換器２により外気の熱を回収して室外に捨てることで、窓１の機能を補完してより一層の冷房負荷の低減が図られる。
【００２７】
本実施形態の換気システムは、図８に示すように、内気を通すダクトに熱交換器２をショートカットするショートカットダクト１９を設けておき、窓１に強い日射を受けたときに窓１を通過した内気の温度が外気温度より高くなったときに、このショートカットダクト１９を通すことで熱交換器２を通さずに直接室外に排出してもよい。例えば、窓１を通過した内気の温度が外気温度３０℃より高い３２℃であった場合は、熱交換器２を通さずに直接室外に排出する。
【００２８】
図９は、本発明の換気システムの参考例を示している。本参考例は、第３，４実施形態と同様に住宅用の換気システムに適用したものであって、夏期における運転状態を示している。本参考例は、第４実施形態と装置の構成は全く同じで、空気の流れる向きが第４実施形態と逆になっている。第１〜４実施形態では、熱が移動する方向（冬期は室内から室外、夏期は室外から室内）とは逆向きに窓１に空気を流すことで、空気の流れる方向とは逆方向の熱輸送が妨げられることを利用して窓１に断熱性を持たせていたが、本参考例では熱が移動する方向（室外から室内）と同じ向きで窓１に空気を流している。
【００２９】
熱交換器２は、給排気口６より導入した外気と空気取入・吹出口７より導入した内気とを熱交換させ、外気の熱を回収する。これにより、３０℃であった外気が２６℃に冷やされる。熱を回収した内気は、２９℃に暖められて給排気口６より室外に排出される。
【００３０】
熱交換器２を通ることで熱が奪われた外気は、ブラインド１２室外側の中間層１１に導かれ、外側ガラス３の室内側面に沿うように下向きに流出する。その後、コールドドラフトにより中間層１１の下まで流れてから折り返し、内側ガラス４の室外側面に沿って上昇し、この間に内側ガラス４から室外に逃げる冷熱を空気の流れによって回収する。その後、内窓１０上部の通気部１７を通り、室内に流出する。
【００３１】
このように本実施形態の換気システムは、熱交換器２で熱が奪われた外気を窓１に通し、外側ガラス３の内側面と内側ガラス４の外側面に沿うように迂回して空気が流れることで、内側ガラス４から逃げる冷熱を回収して室内に取り入れ、外気の熱を回収した内気を室外に排出することで、室内が涼しく保たれ、冷房負荷を低減することができる。本参考例は、図５に示す第３実施形態と同じ構成で、空気の流れる向きも同じままで、夏期も断熱効果が得られるので、低コストである。本実施形態は、窓１が北向きに設けてあるなど、窓１に強い日射を受けない場合に効果的である。
【００３２】
本発明の効果を確認するため、本発明の換気システムを採用した場合に冷暖房負荷をどの程度削減できるか計算した結果を以下に説明する。計算には、市販の熱換気回路網計算ソフトであるＴＲＮＳＹＳ１７を使用した。
図１０（ａ）は、計算に用いた部屋のモデルを示している。同図に示すように、部屋は南面全体に窓１が設けられ、窓１の大きさは幅１６９０ｍｍ×高さ１３７０ｍｍ、部屋の大きさは幅１６９０ｍｍ×高さ１３７０ｍｍ×奥行３０００ｍｍとし、周壁は断熱境界とした。
図１０（ｂ）は、計算に用いた窓１のモデルを示している。外窓９はアルミサッシ＋単板ガラス（外側ガラス）、内窓１０は樹脂サッシ＋複層ガラス（内側ガラス）、中間層１１にはハニカムブラインド１２を設置するものとした。窓１を流れる空気の流量は、１２ｍ３／ｈとした。
図１１は、計算に用いた換気システムの換気経路のパターンを示している。図１１（ａ）に示す実施例１は、図１に示す第１実施形態と同様に、外気を窓に通してから熱交換器に通し、その後に室内に導入するもの、図１１（ｂ）に示す実施例２は、図４に示す第２実施形態と同様に、内気を熱交換器に通してから窓に通し、その後に室外に排出するもの、図１１（ｃ）に示す実施例３は、図５に示す第３実施形態と同様に、外気を熱交換器に通してから窓に通し、その後に室内に導入するもの、図１１（ｄ）に示す実施例４は、図８に示す第４実施形態と同様に、内気を窓に通してから熱交換器に通し、その後に室外に排出するもの、図１１（ｅ）に示す参考例１は、図９に示す参考例と同様に、外気を熱交換器に通してから窓に通し、その後に室内に導入するものである。図１１（ｆ）に示す比較例１は、外気も内気も通さない単なる二重窓である。
計算条件としては、寒冷地代表地点として札幌、温暖地代表地点として宮崎を選定し、上記の実施例と参考例と比較例について、代表的な下記の一日の暖房・冷房負荷をそれぞれ計算した。
・寒冷地（札幌）  ２月１９日  日平均気温−９．９℃
・温暖地（宮崎）  ７月２２日  日平均気温３０．９℃
【００３３】
図１２は、実施例と参考例と比較例について計算した冷暖房負荷の値に基づき、単なる二重窓を設置した場合（比較例１）の冷暖房負荷を１００％として、実施例及び参考例の暖房・冷房負荷の割合をグラフ化したものである。
同図より明らかなように、実施例１及び実施例３によれば、単なる二重窓を設置した場合（比較例１）と比較して、暖房負荷を抑えられることが分かる（削減率は、実施例１で５１％、実施例３で３６％）。外気を窓に通してから熱交換器に通す実施例１と、外気を熱交換器に通してから窓に通す実施例３との比較では、窓に先に通す実施例１の方が暖房負荷を抑える効果が高い。
また、実施例２及び実施例４によれば、単なる二重窓を設置した場合（比較例１）と比較して、冷房負荷を抑えられることが分かる（削減率は、実施例２で２０％、実施例４で１４％）。内気を熱交換器に通してから窓に通す実施例２と、内気を窓に通してから熱交換器に通す実施例４との比較では、熱交換器に先に通す実施例２の方が冷房負荷を抑える効果が高い。
また、参考例１についても、実施例２，４よりは劣るものの、冷房負荷を抑える効果が確認できた。
【００３４】
以上に述べたように本換気システム（第１、第３実施形態）は、窓１と熱交換器２とを備え、窓１は、外側仕切体（外側ガラス）３と内側仕切体（内側ガラス）４を有し、外側仕切体３の内側面と内側仕切体４の外側面に沿うように空気が流れることで内側仕切体４から逃げる熱を回収するものであり、熱交換器２は、内気の熱を回収するものであり、外気を、窓１を通してから熱交換器２に通すか又は熱交換器２に通してから窓１に通すことで、内側仕切体４から逃げる熱と内気の熱を回収して室内に取り入れ、熱交換器２で熱が奪われた内気を室外に排出することで、窓１から室内の熱が逃げるのを抑えられ、加えて熱交換器２でも室内の熱を回収することで窓１の働きを補完するので、暖房負荷を抑えることができる。
【００３５】
本換気システム（第２、第４実施形態）は、窓１と熱交換器２とを備え、窓１は、外側仕切体（外側ガラス）３と内側仕切体（内側ガラス）４を有し、内側仕切体４の外側面と外側仕切体３の内側面に沿うように空気が流れることで外側仕切体３から入ってくる熱を回収するものであり、熱交換器２は、外気の熱を回収するものであり、内気を、熱交換器２に通してから窓１に通すか又は窓１に通してから熱交換器２に通すことで、外側仕切体３から入ってくる熱と外気の熱を回収して室外に排出し、熱交換器２で熱が奪われた外気を室内に取り入れることで、窓１から室外の熱が入ってくるのを抑えられ、加えて熱交換器２でも外気の熱を回収することで窓１の働きを補完するので、冷房負荷を抑えることができる。
【００３６】
第１実施形態（図１）及び第２実施形態（図４）は、ダクトの配管スペースが取れる比較的大きなオフィスビル等に適しており、第３実施形態（図５）及び第４実施形態（図８）は、配管スペースが取れず、なるべくダクト配管をしたくない比較的小さな住宅等に適している。
【００３７】
本発明は以上に述べた実施形態に限定されない。窓の構造は適宜変更することができ、外窓と内窓とを備える二重窓に限らず、外側のガラスと内側のガラスを１つのフレーム（枠、框等）に支持した単体サッシとすることもできる。
外側仕切体は、室外空間と中間層とに仕切るものであればよく、外側ガラスの他、シャッター、雨戸、ロールスクリーン等であってもよい。内側仕切体は、中間層と室内空間とに仕切るものであればよく、内側ガラスの他、カーテン、ロールスクリーン、障子等であってもよい。
室外空間から中間層に連通する通気部、中間層から室内空間に連通する通気部はどこに形成してあってもよく、例えば縦枠や下枠に設けてあったり、上框と上枠との隙間を通気部とし、その隙間から空気が流入・流出するもの等であってもよい。
本発明の換気システムは、窓を空気が室外から室内に向けてのみ流れるもの、室内から室外に向けてのみ流れるもの、室外から室内に向けてと室内から室外にの向けての両方向に流れるものの何れであってもよい。
【符号の説明】
【００３８】
１  窓
２  熱交換器
３  外側ガラス（外側仕切体）
４  内側ガラス（内側仕切体）
【図１】
2020139729.tif 000003
【図２】
2020139729.tif 000004
【図３】
2020139729.tif 000005
【図４】
2020139729.tif 000006
【図５】
2020139729.tif 000007
【図６】
2020139729.tif 000008
【図７】
2020139729.tif 000009
【図８】
2020139729.tif 000010
【図９】
2020139729.tif 000011
【図１０】
2020139729.tif 000012
【図１１】
2020139729.tif 000013
【図１２】
2020139729.tif 000014